(57)【要約】【課題】アクセスポイントの使用状態に応じて、アクセスポイントの電源を制御することを可能にする技術を提供すること。【解決手段】アクセスポイント(10)の電源を制御する電源制御装置(20)であって、アクセスポイントを利用する１以上の端末(30)を登録する登録部(201)と、登録された１以上の端末(30)のうち少なくとも１つがアクセスポイント(10)と通信可能な位置に存在する場合、アクセスポイント(10)の電源を通電状態にして、登録された１以上の端末(30)がアクセスポイント(10)と通信可能な位置に存在しない場合、アクセスポイント(10)の電源を遮断状態にする制御部(202)と、を有する電源制御装置(20)を提供する。【選択図】図１
2019102964.tif 000002
【特許請求の範囲】
【請求項１】
アクセスポイントの電源を制御する電源制御装置であって、
前記アクセスポイントを利用する１以上の端末を登録する登録部と、
前記登録された１以上の端末のうち少なくとも１つが前記アクセスポイントと通信可能な位置に存在する場合、前記アクセスポイントの電源を通電状態にして、前記登録された１以上の端末が前記アクセスポイントと通信可能な位置に存在しない場合、前記アクセスポイントの電源を遮断状態にする制御部と、
を有する電源制御装置。
【発明の詳細な説明】
【技術分野】
【０００１】
本発明は、電源制御装置に関する。
【背景技術】
【０００２】
携帯機器が、Ｗｉ−Ｆｉアクセスポイントと通信可能であり、かつ移動速度が所定の速度より遅い場合に、当該携帯機器が備えるＷｉ−Ｆｉ送受信機の電源をＯＮにする技術、及び、携帯機器が、当該携帯機器と通信可能な範囲に存在するＷｉ−Ｆｉアクセスポイントを走査し、走査により検出されたＷｉ−Ｆｉアクセスポイントに接続する技術が知られている（特許文献１参照）。
【先行技術文献】
【特許文献】
【０００３】
【特許文献１】特許第５５１７０７９号公報
【発明の概要】
【発明が解決しようとする課題】
【０００４】
Ｗｉ−Ｆｉアクセスポイント（以下「アクセスポイント」と言う。）の電源を常時入れたままにしておくと、第３者により勝手にアクセスポイントを使用される（いわゆる「ただ乗り」）等のセキュリティリスクを抱えることになる。セキュリティリスクを軽減するためには、アクセスポイントが使用されていない場合は電源を切っておくことが望ましい。
【０００５】
しかしながら、特許文献１に記載の技術は、携帯機器が備えるＷｉ−Ｆｉ送受信機の電源を制御する技術であり、アクセスポイントの電源を制御する技術ではないことから、上述したセキュリティリスクを軽減させることはできない。
【０００６】
そこで、本発明は、アクセスポイントの使用状態に応じて、アクセスポイントの電源を制御することを可能にする技術を提供することを目的とする。
【課題を解決するための手段】
【０００７】
本発明の一態様に係る電源制御装置は、アクセスポイントの電源を制御する電源制御装置であって、アクセスポイントを利用する１以上の端末を登録する登録部と、登録された１以上の端末のうち少なくとも１つがアクセスポイントと通信可能な位置に存在する場合、アクセスポイントの電源を通電状態にして、登録された１以上の端末がアクセスポイントと通信可能な位置に存在しない場合、アクセスポイントの電源を遮断状態にする制御部と、を有する。
【発明の効果】
【０００８】
本発明によれば、アクセスポイントの使用状態に応じて、アクセスポイントの電源を制御することを可能にする技術を提供することができる。
【図面の簡単な説明】
【０００９】
【図１】実施形態に係るアクセスポイント制御システムの構成の一例を示す図である。
【発明を実施するための形態】
【００１０】
添付図面を参照して、本発明の好適な実施形態について説明する。なお、各図において、同一の符号を付したものは、同一又は同様の構成を有する。
【００１１】
図１は、実施形態に係るアクセスポイント制御システムの構成の一例を示す図である。図１に示すように、アクセスポイント制御システムは、アクセスポイント１０、電源制御装置２０、端末３０、回線網４０及び光回線終端装置５０を有する。図１には端末３０が２つ図示されているが、端末３０は１つであってもよいし３つ以上であってもよい。通信エリアＡ１は、アクセスポイント１０と通信可能なエリア（所定の範囲）を意味する。
【００１２】
アクセスポイント１０は、端末３０との間でＷｉ−Ｆｉを利用した通信を行う機能を有する。
【００１３】
電源制御装置２０は、通信エリアＡ１内に存在する端末３０の数に応じて、アクセスポイント１０の電源を制御する機能を有する。
【００１４】
端末３０は、アクセスポイント１０、公衆Ｗｉ−Ｆｉ、回線事業者が提供する移動無線通信網（ＬＴＥ網など）を介してインターネット等と通信する機能を有する。また、端末３０は、端末３０自身が、通信エリアＡ１の内側に位置するのか又は通信エリアＡ１の外側に位置するのかを示すメッセージ（以下、「通知メッセージ」と呼ぶ。）を電源制御装置２０に通知する。ここで、通信エリアＡ１の内側とは、アクセスポイント１０と通信可能なエリアを意図しており、通信エリアＡ１の外側とは、アクセスポイント１０と通信可能なエリア外を意図している。端末３０には、車載通信機（DCM : Data Communication Module）、スマートフォン、タブレット端末、携帯電話機、パーソナルコンピュータ（ＰＣ）など、Ｗｉ−Ｆｉによる通信機能を備えたあらゆる装置等が含まれる。
【００１５】
回線網４０は、回線事業者により提供される光回線網である。光回線終端装置５０は、回線網４０を終端する装置である。光回線終端装置５０は、電源制御装置２０に内蔵されていてもよい。本実施形態において、端末３０が通信エリアＡ１の内側に位置する場合、端末３０は、通知メッセージをアクセスポイント１０を用いて電源制御装置２０に送信する。また、端末３０が通信エリアＡ１の外側に位置する場合、端末３０は、通知メッセージを公衆Ｗｉ−Ｆｉや回線事業者が提供する移動無線通信網（ＬＴＥ網など）を用いて電源制御装置２０に送信する。
【００１６】
電源制御装置２０は、図１に示すように、端末登録部２０１（登録部）及び電源制御部２０２（制御部）を有する。端末登録部２０１及び電源制御部２０２は、電源制御装置２０のメモリに記憶されたプログラムが、プロセッサに実行させる処理により実現することができる。また、当該プログラムは、記録媒体に格納することができる。
【００１７】
端末登録部２０１は、アクセスポイント１０を利用する１以上の端末３０を登録する機能を有する。端末３０の登録は、端末３０を一意に特定する識別子（以下「端末識別子」と言う）を電源制御装置２０が備えるメモリ等に格納することで行われる。端末識別子は電源制御装置２０が端末３０を一意に識別することが可能であればどのような識別子であってもよいが、例えば、端末３０の端末名、端末３０のＭＡＣアドレス、端末３０のＩＰアドレス等である。
【００１８】
端末登録部２０１は、端末３０の登録を受け付けるためのＷｅｂ画面等を備えており、アクセスポイント１０を管理するユーザ（例えばアクセスポイント１０を宅内に設置しているユーザ等）に端末識別子をＷｅｂ画面に入力させることで、端末３０の登録を受け付けるようにしてもよい。また、端末３０のＭＡＣアドレスを端末識別子とする場合、端末登録部２０１は、ＤＨＣＰ（Dynamic Host Configuration Protocol）サーバの機能を備えるアクセスポイント１０から、ＩＰアドレスを払い出した端末３０のＭＡＣアドレスを取得し、取得したＭＡＣアドレスをメモリ等に格納することで、端末３０の登録を行うようにしてもよい。
【００１９】
なお、電源制御装置２０に登録された端末３０は、通知メッセージを電源制御装置２０に通知する必要がある。そのため、本実施形態では、電源制御装置２０に登録した端末３０に対し、電源制御装置２０に通知メッセージを送信するために必要な情報を登録しておく必要がある。
【００２０】
電源制御装置２０に通知メッセージを送信するために必要な情報は、端末３０及び電源制御装置２０が用いる通信方法に依存する。例えば、電源制御装置２０がグローバルＩＰアドレスを有しており、端末３０がインターネット経由で電源制御装置２０にアクセス可能である場合、電源制御装置２０に通知メッセージを送信するために必要な情報は、グローバルＩＰアドレスであってもよい。また、例えば、電源制御装置２０及び端末３０の間でＶＰＮ（Virtual Private Network）を確立している場合、電源制御装置２０に通知メッセージを送信するために必要な情報は、ＶＰＮの中で電源制御装置２０に付与されたアドレスであってもよい。また、例えば、ＧＣＭ（Google Cloud Messaging）やＦＣＭ（Firebase Cloud Messaging）等のＰＵＣＨ基盤を利用して端末３０から電源制御装置２０に通知メッセージ（ＰＵＣＨ通知）を送信する場合、電源制御装置２０に通知メッセージを送信するために必要な情報は、ＰＵＣＨ電源制御装置２０にＰＵＣＨ通知を送信するために必要な情報としてＰＵＣＨ基盤により指定されている情報であってもよい。
【００２１】
電源制御部２０２は、端末３０から受信した通知メッセージに基づいて、端末登録部２０１に登録された端末３０のうち何台の端末３０が通信エリアＡ１の内側に存在するのかを管理し、アクセスポイント１０の電源を制御する。具体的には、電源制御部２０２は、通信エリアＡ１の内側に、登録された端末３０が存在しない場合、アクセスポイント１０の電源をＯＦＦ（遮断状態）にする。また、電源制御部２０２は、端末登録部２０１に登録された端末のうち少なくとも１つ以上が通信エリアＡ１の内側に存在する場合、アクセスポイント１０の電源をＯＮ（通電状態）にする。
【００２２】
このような制御を実現するための具体例その１として、電源制御部２０２は、通信エリアＡ１の内部に存在する端末３０の数を管理するための変数（以下、「範囲内端末数」と呼ぶ。）をメモリ等に記憶しておき、登録された端末３０から通信エリアＡ１の内側に位置することを示す通知メッセージを受信した場合、範囲内端末数に１を加算し、登録された端末３０から通信エリアＡ１の外側に位置することを示す通知メッセージを受信した場合、範囲内端末数から１を減算するようにしてもよい。電源制御部２０２は、範囲内端末数が１以上である場合、アクセスポイント１０の電源をＯＮ（通電状態）にしておき、範囲内端末数がゼロになった場合、アクセスポイント１０の電源をＯＦＦ（遮断状態）にするようにしてもよい。
【００２３】
また、具体例その２として、電源制御部２０２は、登録された端末３０が通信エリアＡ１の内側に位置するのか外側に位置するのかを、端末３０ごとに管理するようにしてもよい。例えば、電源制御部２０２は、登録された端末３０から受信した通知メッセージに従って端末３０ごとの位置を管理するための管理テーブルを更新することで、各端末３０が通信エリアＡ１の内側に位置するのか外側に位置するのかを端末３０ごとに管理するようにしてもよい。これにより、電源制御部２０２は、仮に同一の端末３０から同一の通知メッセージを重複して受信した場合であっても、各端末３０の位置を正しく管理することが可能になる。なお、当該具体例その２では、通知メッセージの消失等により電源制御装置２０と端末３０との間で状態不整合が生じることを防止するために、登録された端末３０の各々は、自身の位置に関わらず、周期的に通知メッセージを送信するようにしてもよい。
【００２４】
端末３０は、端末３０自身の位置が、通信エリアＡ１の内側であるのか又は通信エリアＡ１の外側であるのかを、ＧＰＳ等で測定された位置に基づいて判定するようにしてもよいし、端末３０又は端末３０と接続されたサーバで管理されているユーザのスケジューラの内容（例えば外出の予定が登録されているか否か）に基づいて判定するようにしてもよい。後者である場合、登録された全ての端末３０のスケジューラに外出中が設定されている場合に、アクセスポイント１０の電源がＯＦＦに遷移することになる。
【００２５】
（変形例）
端末３０は、通知メッセージに自身の位置を含めるのではなく、スケジューラ上で外出中であるのか否かを示す情報を通知メッセージに含めて電源制御装置２０に送信し、電源制御装置２０は、通知されたスケジューラの内容に基づいてアクセスポイント１０の電源を制御するようにしてもよい。例えば、電源制御装置２０は、端末登録部２０１に登録された端末３０のうち何台の端末３０のユーザが外出中であるかを管理し、全ての端末３０のユーザが外出中である場合、アクセスポイント１０の電源をＯＦＦにして、少なくとも１つ以上の端末３０のユーザが外出中ではない場合、アクセスポイント１０の電源をＯＮにするようにしてもよい。
【００２６】
端末３０は、端末３０自身が通信エリアＡ１の内側に位置する場合、更に、端末３０のユーザが就寝中か否かを検出して電源制御装置２０に通知するようにしてもよい。電源制御装置２０は、通信エリアＡ１の内側に位置する全ての端末３０から、ユーザが就寝中であるとの通知を受けた場合、アクセスポイント１０の電源をＯＦＦにするようにしてもよい。端末３０は、ユーザが就寝中か否かを、端末３０で検知される振動の有無、光の強弱、又はユーザが就寝する時刻としてスケジューラ等に登録された時刻に基づき判定するようにしてもよい。
【００２７】
アクセスポイント１０の電源は、アクセスポイント１０を管理するユーザによってＯＮ／ＯＦＦされることが想定される。そのため、電源制御装置２０は、アクセスポイント１０の電源状態を管理しておき、アクセスポイント１０の電源が既にＯＦＦにされている場合は、アクセスポイント１０の電源をＯＦＦにするための制御を行わないようにしてもよい。また、アクセスポイント１０が既に電源ＯＮの状態である場合、アクセスポイント１０の電源をＯＮにするための制御を行わないようにしてもよい。
【００２８】
電源制御装置２０は、登録された端末３０について、通信エリアＡ１の内側に位置しているにも関わらず一定期間通信を行っていないことを検出した場合、登録を解除するようにしてもよい。アクセスポイント１０は、各端末３０が通信を行っているか否かを検出して電源制御装置２０に通知するようにしてもよい。また、電源制御装置２０は、アクセスポイント１０に接続されたパケットモニタ装置等を用いて、端末３０が通信を行っているか否かを検出するようにしてもよい。
【００２９】
端末３０は、自身の位置を示す位置情報（例えば緯度経度等）を電源制御装置２０に通知し、各端末３０が通信エリアＡ１の内側に位置しているのか外側に位置しているのかを電源制御装置２０が判定するようにしてもよい。
【００３０】
電源制御装置２０及び端末３０との間で行われる通信（通知メッセージの送信）は、暗号化されていてもよい。
【００３１】
以上説明した実施形態は、本発明の理解を容易にするためのものであり、本発明を限定して解釈するためのものではない。実施形態が備える各要素並びにその配置、材料、条件、形状及びサイズ等は、例示したものに限定されるわけではなく適宜変更することができる。また、異なる実施形態で示した構成同士を部分的に置換し又は組み合わせることが可能である。
【符号の説明】
【００３２】
１０…アクセスポイント、２０…電源制御装置、３０…端末、４０…回線網、５０…光回線終端装置、２０１…端末登録部、２０２…電源制御部
【図１】
2019102964.tif 000003